(57)【特許請求の範囲】
【請求項１】
底壁部に排出口が形成されるとともに、上壁部に操作用開口が形成された本体を備えている、下抜き型容器であって、
上部に操作部を有し、かつ下部に前記排出口を開閉する栓体部を有する排出口開閉シャフトを備え、
前記排出口開閉シャフトは、前記操作部の少なくとも一部を前記操作用開口から前記本体の上方に露出するようにして、前記本体内に収容されており、
前記栓体部は、前記操作部に加えられる操作に応じて、前記排出口を前記本体の内側から開閉するように構成され、
前記排出口は、前記本体の外部または内部に突設され、かつ内周面を有しており、
前記栓体部は、外周面を有しており、
前記栓体部は、その外周面が前記排出口の内周面に合わさることにより、前記排出口を閉じるように構成され、
前記栓体部の外周面と前記排出口の内周面とが螺合するように構成されていることを特徴とする、下抜き型容器。
【請求項２】
底壁部に排出口が形成されるとともに、上壁部に操作用開口が形成された本体を備えている、下抜き型容器であって、
上部に操作部を有し、かつ下部に前記排出口を開閉する栓体部を有する排出口開閉シャフトを備え、
前記排出口開閉シャフトは、前記操作部の少なくとも一部を前記操作用開口から前記本体の上方に露出するようにして、前記本体内に収容されており、
前記栓体部は、前記操作部に加えられる操作に応じて、前記排出口を前記本体の内側から開閉するように構成され、
前記排出口開閉シャフトは、前記栓体部の上方に隣接してパッキンを備えており、
前記パッキンは、前記栓体部が前記排出口を閉じた時に、前記本体の内側から、前記排出口の周囲をシールするように構成されていることを特徴とする、下抜き型容器。
【請求項３】
前記排出口は、前記本体の外部または内部に突設され、かつ内周面を有しており、
前記栓体部は、外周面を有しており、
前記栓体部は、その外周面が前記排出口の内周面に合わさることにより、前記排出口を閉じるように構成され、
前記栓体部は、ゴム製であり、
前記栓体部の外周面は、平滑に形成されている、請求項２に記載の下抜き型容器。
【請求項４】
底壁部に排出口が形成されるとともに、上壁部に操作用開口が形成された本体を備えている、下抜き型容器であって、
上部に操作部を有し、かつ下部に前記排出口を開閉する栓体部を有する排出口開閉シャフトを備え、
前記排出口開閉シャフトは、前記操作部の少なくとも一部を前記操作用開口から前記本体の上方に露出するようにして、前記本体内に収容されており、
前記栓体部は、前記操作部に加えられる操作に応じて、前記排出口を前記本体の内側から開閉するように構成され、
前記排出口を開閉するための蓋体を備えており、
前記蓋体は前記排出口を前記本体の外側から開閉する構成とされていることを特徴とする、下抜き型容器。
【請求項５】
前記蓋体は、キャップ形状を有する排出口用キャップであり、
前記排出口が前記本体の底壁部から外部に突設されている場合、前記排出口の外周面と前記排出口用キャップの内周面とが螺合するように構成されている、請求項４に記載の下抜き型容器。
【請求項６】
前記操作部として、前記排出口開閉シャフトを上下動させるための操作用ハンドルを有している、請求項１ないし５のいずれかに記載の下抜き型容器。
【請求項７】
底壁部に排出口が形成されるとともに、上壁部に操作用開口が形成された本体を備えている、下抜き型容器であって、
上部に操作部を有し、かつ下部に前記排出口を開閉する栓体部を有する排出口開閉シャフトを備え、
前記排出口開閉シャフトは、前記操作部の少なくとも一部を前記操作用開口から前記本体の上方に露出するようにして、前記本体内に収容されており、
前記栓体部は、前記操作部に加えられる操作に応じて、前記排出口を前記本体の内側から開閉するように構成され、
前記操作部は、前記操作用開口を開閉可能とされており、
前記操作部が前記操作用開口を閉じたときに、前記栓体部は前記排出口を閉じ、前記操作部が前記操作用開口を開けたときに、前記栓体部は前記排出口を開けるように構成されていることを特徴とする、下抜き型容器。
【請求項８】
前記操作部は、周壁部を有するキャップ形状であり、
前記操作用開口は、前記本体から外部に突設されており、
前記操作部の前記周壁部の内周面と前記操作用開口の外周面とが螺合するように構成されている、請求項７に記載の下抜き型容器。
【請求項９】
前記操作部を前記操作用開口が開く方向に回転した場合、前記栓体部は前記排出口を開ける方向に回転する一方、前記操作部を前記操作用開口が閉じる方向に回転した場合には、前記栓体部は前記排出口を閉じる方向に回転するように構成されていることを特徴とする、請求項８に記載の下抜き型容器。
【請求項１０】
前記栓体部の外周面は、前記排出口の内周面と螺合するように構成されており、
前記操作部と前記操作用開口との螺合のピッチは、前記排出口と前記栓体部との螺合のピッチと同一または略同一に設定されていることを特徴とする、請求項８または９に記載の下抜き型容器。
【請求項１１】
底壁部に排出口が形成されるとともに、上壁部に操作用開口が形成された本体を備えている、下抜き型容器であって、
上部に操作部を有し、かつ下部に前記排出口を開閉する栓体部を有する排出口開閉シャフトを備え、
前記排出口開閉シャフトは、前記操作部の少なくとも一部を前記操作用開口から前記本体の上方に露出するようにして、前記本体内に収容されており、
前記栓体部は、前記操作部に加えられる操作に応じて、前記排出口を前記本体の内側から開閉するように構成され、
前記下抜き型容器を直立させるための脚部を備えており、前記脚部として、底辺部の幅方向の長さが異なる複数の脚部が用意されており、これらの脚部は前記本体に対して交換可能にされていることを特徴とする、下抜き型容器。
【請求項１２】
前記本体の前記底壁部は、全体または一部が、周縁寄り領域から前記排出口周縁領域に向けて進むほど高さが低くなるように傾斜していることを特徴とする、請求項１ないし１１のいずれかに記載の下抜き型容器。
【請求項１３】
小便器と、
前記小便器が接続され、前記小便器によって受けられた尿が貯留される容器と、
を備えている簡易トイレであって、
前記容器として、請求項１ないし１２のいずれかに記載の下抜き型容器を備えていることを特徴とする、簡易トイレ。
【請求項１４】
前記小便器は、尿受け部と管部とを有しており、
前記下抜き型容器は、前記操作用開口とは別に前記本体に形成された小便器取り付け口を有しており、
前記小便器は、前記管部が前記小便器取り付け口に挿入されることにより、前記下抜き型容器に接続され、
前記尿受け部で受けられた尿は、前記管部を通じて、前記本体内に流入するように構成されている、請求項１３に記載の簡易トイレ。
【請求項１５】
前記小便器取り付け口は、前記本体の前記上壁部において外側に突設されており、
前記下抜き型容器は、前記小便器取り付け口を開閉するための小便器取り付け口用キャップを更に有しており、
前記小便器取り付け口用キャップは、前記小便器が前記小便器取り付け口から取り外された状態で、前記小便器取り付け口に対して螺合により取り付けられる構成とされている、請求項１４に記載の簡易トイレ。
【発明の詳細な説明】
【技術分野】
【０００１】
本発明は、下抜き型容器、およびこれを備えた簡易トイレの技術に関するものである。
【背景技術】
【０００２】
従来、蓋体が液体貯留部の上部に設けられた開口部を閉じるのに伴って開弁される一方、蓋体が開口部を開くと閉弁される弁体を液体貯留部の下方に備えるタンクが、特許文献１に記載されている。蓋体の開閉は、棒状のリンク機構を介して弁体に伝えられ、弁体が開くことにより、貯留部の液体は、タンクの下部から排出される。このように、このタンクでは、蓋体によるタンク上部の開口部の開閉によって、タンク下部からの水の流出の制御が可能になっている。
【０００３】
一方、キャップにより封止可能な排出口が底壁部に設けられた、流体を貯留するためのタンク、およびこれを備えた簡易トイレが、特許文献２に記載されている。このタンクにおいては、底壁部の排出口は、キャップにより、確実に封止されるので、排出口からの貯留物の漏れは抑制される。
【０００４】
しかしながら、前記従来技術においては、次に述べるように、未だ改善すべき余地があった。
【０００５】
すなわち、特許文献１に記載の従来技術においては、弁体はバネの付勢力によって閉じられている。ところが、バネの付勢力だけでは、弁体が組み込まれたタンク下部の開口の封止は確実とはいえず、漏れやすい。このようなタンクは、特許文献１に記載されているように、加湿器のようなものに適用されるものであって、通常行われる貯留物の運搬や保管には向いていない。
【０００６】
一方、特許文献２に記載の従来技術においては、キャップは、排出口をタンクの下方から封止している。このキャップを排出口から外すには、タンクの下方から作業を行う必要がある。液体が多量に貯留され、容器が重くなっている場合、この作業は煩わしいものとなる。また、キャップを外し、貯留物が排出口から流出する際、作業者の手などにかかる場合がある。たとえば、貯留物が毒劇物の混入した廃液や簡易トイレの尿などの場合、この作業は、安全、衛生上の問題がある。
【先行技術文献】
【特許文献】
【０００７】
【特許文献１】特開２０００−２８１０３４号公報
【特許文献２】特開２００９−１２７２７０号公報
【発明の概要】
【発明が解決しようとする課題】
【０００８】
本発明は、前記したような事情のもとで考え出されたものであって、底壁部に排出口が形成された本体を備える下抜き型容器であって、排出口の封止の確実性を向上することにより、排出口からの貯留物の漏れの抑制を可能とするとともに、排出口の開放作業を容器の下方から行わなくてもよいようにすることにより、排出口からの貯留物の排出を容易に行うことが可能な下抜き型容器、およびこの下抜き型容器を備えた簡易トイレを提供することをその目的としている。
【課題を解決するための手段】
【０００９】
上記の課題を解決するため、本発明では、次の技術的手段を講じている。
【００１０】
本発明の第１の側面により提供される下抜き型容器は、底壁部に排出口が形成されるとともに、上壁部に操作用開口が形成された本体を備えている、下抜き型容器であって、上部に操作部を有し、かつ下部に前記排出口を開閉する栓体部を有する排出口開閉シャフトを備え、前記排出口開閉シャフトは、前記操作部の少なくとも一部を前記操作用開口から前記本体の上方に露出するようにして、前記本体内に収容されており、前記栓体部は、前記操作部に加えられる操作に応じて、前記排出口を前記本体の内側から開閉するように構成され、前記排出口は、前記本体の外部または内部に突設され、かつ内周面を有しており、前記栓体部は、外周面を有しており、前記栓体部は、その外周面が前記排出口の内周面に合わさることにより、前記排出口を閉じるように構成され、前記栓体部の外周面と前記排出口の内周面とが螺合するように構成されていることを特徴としている。
【００１１】
本発明の第２の側面により提供される下抜き型容器は、底壁部に排出口が形成されるとともに、上壁部に操作用開口が形成された本体を備えている、下抜き型容器であって、上部に操作部を有し、かつ下部に前記排出口を開閉する栓体部を有する排出口開閉シャフトを備え、前記排出口開閉シャフトは、前記操作部の少なくとも一部を前記操作用開口から前記本体の上方に露出するようにして、前記本体内に収容されており、前記栓体部は、前記操作部に加えられる操作に応じて、前記排出口を前記本体の内側から開閉するように構成され、前記排出口開閉シャフトは、前記栓体部の上方に隣接してパッキンを備えており、前記パッキンは、前記栓体部が前記排出口を閉じた時に、前記本体の内側から、前記排出口の周囲をシールするように構成されていることを特徴としている。
【００１２】
本発明の好ましい実施の形態においては、前記排出口は、前記本体の外部または内部に突設され、かつ内周面を有しており、前記栓体部は、外周面を有しており、前記栓体部は、その外周面が前記排出口の内周面に合わさることにより、前記排出口を閉じるように構成され、前記栓体部は、ゴム製であり、前記栓体部の外周面は、平滑に形成された構成とされている。
【００１３】
本発明の第３の側面により提供される下抜き型容器は、底壁部に排出口が形成されるとともに、上壁部に操作用開口が形成された本体を備えている、下抜き型容器であって、上部に操作部を有し、かつ下部に前記排出口を開閉する栓体部を有する排出口開閉シャフトを備え、前記排出口開閉シャフトは、前記操作部の少なくとも一部を前記操作用開口から前記本体の上方に露出するようにして、前記本体内に収容されており、前記栓体部は、前記操作部に加えられる操作に応じて、前記排出口を前記本体の内側から開閉するように構成され、前記排出口を開閉するための蓋体を備えており、前記蓋体は前記排出口を前記本体の外側から開閉する構成とされていることを特徴としている。
【００１４】
本発明の好ましい実施の形態においては、前記蓋体は、キャップ形状を有する排出口用キャップであり、前記排出口が前記本体の底壁部から外部に突設されている場合、前記排出口の外周面と前記排出口用キャップの内周面とが螺合する構成とされている。
【００１５】
本発明の好ましい実施の形態においては、前記下抜き型容器は、前記操作部として、前記排出口開閉シャフトを上下動させるための操作用ハンドルを有するように構成されている。
【００１６】
本発明の第４の側面により提供される下抜き型容器は、底壁部に排出口が形成されるとともに、上壁部に操作用開口が形成された本体を備えている、下抜き型容器であって、上部に操作部を有し、かつ下部に前記排出口を開閉する栓体部を有する排出口開閉シャフトを備え、前記排出口開閉シャフトは、前記操作部の少なくとも一部を前記操作用開口から前記本体の上方に露出するようにして、前記本体内に収容されており、前記栓体部は、前記操作部に加えられる操作に応じて、前記排出口を前記本体の内側から開閉するように構成され、前記操作部は、前記操作用開口を開閉可能とされており、前記操作部が前記操作用開口を閉じたときに、前記栓体部は前記排出口を閉じ、前記操作部が前記操作用開口を開けたときに、前記栓体部は前記排出口を開けるように構成されていることを特徴としている。
【００１７】
本発明の好ましい実施の形態においては、前記操作部は、周壁部を有するキャップ形状であり、前記操作用開口は、前記本体から外部に突設されており、前記操作部の前記周壁部の内周面と前記操作用開口の外周面とが螺合するように構成されている。
【００１８】
本発明の好ましい実施の形態においては、前記操作部を前記操作用開口が開く方向に回転した場合、前記栓体部は前記排出口を開ける方向に回転する一方、前記操作部を前記操作用開口が閉じる方向に回転した場合には、前記栓体部は前記排出口を閉じる方向に回転するように構成されている。
【００１９】
本発明の好ましい実施の形態においては、前記栓体部の外周面は、前記排出口の内周面と螺合するように構成されており、前記操作部と前記操作用開口との螺合のピッチは、前記排出口と前記栓体部との螺合のピッチと同一または略同一に設定されている構成とされている。
【００２０】
本発明の第５の側面により提供される下抜き型容器は、底壁部に排出口が形成されるとともに、上壁部に操作用開口が形成された本体を備えている、下抜き型容器であって、上部に操作部を有し、かつ下部に前記排出口を開閉する栓体部を有する排出口開閉シャフトを備え、前記排出口開閉シャフトは、前記操作部の少なくとも一部を前記操作用開口から前記本体の上方に露出するようにして、前記本体内に収容されており、前記栓体部は、前記操作部に加えられる操作に応じて、前記排出口を前記本体の内側から開閉するように構成され、前記下抜き型容器を直立させるための脚部を備えており、前記脚部として、底辺部の幅方向の長さが異なる複数の脚部が用意されており、これらの脚部は前記本体に対して交換可能にされていることを特徴としている。
【００２１】
本発明の好ましい実施の形態においては、前記本体の前記底壁部は、全体または一部が、周縁寄り領域から前記排出口周縁領域に向けて進むほど高さが低くなるように傾斜している構成とされている。
【００２２】
本発明の第６の側面により提供される簡易トイレは、小便器と、前記小便器が接続され、前記小便器によって受けられた尿が貯留される容器と、を備えている簡易トイレであって、前記容器として、本発明の第１〜第５の側面のいずれかにより提供される下抜き型容器を備えていることを特徴としている。
【００２３】
本発明の好ましい実施の形態においては、前記小便器は、尿受け部と管部とを有しており、前記下抜き型容器は、前記操作用開口とは別に前記本体に形成された小便器取り付け口を有しており、前記小便器は、前記管部が前記小便器取り付け口に挿入されることにより、前記下抜き型容器に接続され、前記尿受け部で受けられた尿は、前記管部を通じて、前記本体内に流入するように構成されている。
【００２４】
本発明の好ましい実施の形態においては、前記小便器取り付け口は、前記本体の前記上壁部において外側に突設されており、前記下抜き型容器は、前記小便器取り付け口を開閉するための小便器取り付け口用キャップを更に有しており、前記小便器取り付け口用キャップは、前記小便器が前記小便器取り付け口から取り外された状態で、前記小便器取り付け口に対して螺合により取り付けられる構成とされている。
【発明の効果】
【００２５】
本発明に係る下抜き型容器およびそれを用いた簡易トイレを使用する場合、本体の底壁部に形成された排出口の封止の確実性を向上することにより、排出口からの貯留物の漏れの抑制を可能とするとともに、排出口の開放作業を容器の下方から行わなくてもよいようにすることにより、排出口からの貯留物の排出を容易に行うことが可能となる。
【００２６】
本発明のその他の特徴および利点は、添付図面を参照して以下に行なう発明の実施の形態の説明から、より明らかになるであろう。
【図面の簡単な説明】
【００２７】
【図１】本発明に係る下抜き型容器を備えた簡易トイレの一例を示す概略斜視図である。
【図２】図１のＩＩ−ＩＩ線に沿う断面図である。
【図３】図１に示す下抜き型容器の排出口と操作用開口の螺合の状態を説明する要部断面図である。
【図４】（Ａ）および（Ｂ）は、図１に示す下抜き型容器が備える交換可能な脚部の一例を示す説明図である。
【図５】（Ａ）ないし（Ｃ）は、図１に示す簡易トイレの使用方法の一例を示す説明図である。
【図６】（Ａ）ないし（Ｃ）は、図１に示す下抜き型容器から尿を排出する方法の一例を示す説明図である。
【図７】本発明に係る下抜き型容器を備えた簡易トイレの他の例を示す断面図である。
【図８】（Ａ）ないし（Ｃ）は、図７に示す下抜き型容器から尿を排出する方法の一例を示す説明図である。
【発明を実施するための形態】
【００２８】
以下、本発明の好ましい実施の形態について、図面を参照して具体的に説明する。
【００２９】
図１〜図４は、本発明が適用された下抜き型容器およびこの下抜き型容器を含む簡易トイレの一例を示している。この簡易トイレＸＳ１は、たとえば、建築現場に設置されるものである。図１に示すように、この簡易トイレＸＳ１は、下抜き型容器Ｘ１と小便器Ｓを備えている。
【００３０】
図２に示すように、下抜き型容器Ｘ１は、本体１、排出口開閉シャフト２、脚部３、排出口用キャップ４、および小便器取り付け口用キャップ５を具備している。
【００３１】
本体１は、尿Ｕを貯留するためのものである。本体１の材質としては、プラスチックまたは金属を用いることが好ましい。プラスチックとしては、ポリエチレン、ポリプロピレン、あるいはポリエチレンテレフタレートを用いることが好ましい。
【００３２】
本体１の底壁部１ｃは、全体が、周縁寄り領域１ｃａから排出口周縁領域１ｃｂに向けて進むほど高さが低くなるように傾斜している。もちろん、底壁部１ｃの一部が傾斜するように構成することもできる。
【００３３】
本体１の側壁部１ｂには、下抜き型容器Ｘ１を運搬するための取っ手１０として凹部が設けられている。
【００３４】
本体１には、取っ手１０のほかに、操作用開口１１、排出口１２、および小便器取り付け口１３が設けられている。
【００３５】
操作用開口１１は、本体１の上壁部１ａから外側に突設されている。操作用開口１１の外周面には後述する排出口開閉シャフト２の操作用キャップ２０と螺合するための雄ネジを備えた螺合部１１ａが形成されている。
【００３６】
排出口１２は、本体１の底壁部１ｃから外部に突設されている。本体１内に貯留された尿Ｕは、排出口１２より、重力により排出される。排出口１２の外周面には、後述の排出口用キャップ４と螺合するための雄ネジを備えた螺合部１２ａが形成されている。また、排出口１２は、その内周面に、後述の栓体部２１と螺合するための雌ネジを備えた螺合部１２ｂが形成されている。もちろん、排出口１２は、底壁部１ｃから本体１の内側に突設されていてもよい。
【００３７】
小便器取り付け口１３は、下抜き型容器Ｘ１と小便器Ｓとを接続するためのものである。小便器取り付け口１３は、本体１の上壁部１ａから外側に突設されており、その外周面には後述の小便器取り付け口用キャップ５と螺合するための雄ネジを備えた螺合部１３ａが形成されている。小便器Ｓで受けられた尿Ｕは、この小便器取り付け口１３を通じて、本体１内に流入する。
【００３８】
排出口開閉シャフト２は、本体１の底壁部１ｃに設けられている排出口１２の開閉操作を、操作用開口１１を通じて本体１の上方から行うためのものである。図２および図３に示すように、排出口開閉シャフト２は、操作用キャップ２０、連結シャフト２２、栓体部２１およびパッキン２３を具備している。排出口操作シャフト２は、上端部またはその近傍に操作用キャップ２０を有するとともに、下端部またはその近傍に栓体部２１を有するように、連結シャフト２２によって連結され、一体化されている。操作用キャップ２０は、操作用開口１１を介して本体１の上方に露出するようにして、本体１内に収容されている。排出口開閉シャフト２としては、プラスチックを材料として、これら３つの部分を一体成形されたものが好ましい。もちろん、個別に製造した部品を、後で連結して一体化してもよい。
【００３９】
操作用キャップ２０は、排出口開閉シャフト２の上端部またはその近傍に設けられており、作業者が手に持って操作するためのものである。操作用キャップ２０は、本発明でいう操作部の一例に相当する。操作用キャップ２０は、頂壁部２０ｃの外周から周壁部２０ａが垂設されており、頂壁部２０ｃの下面中央で、連結シャフト２２と接続している。操作用キャップ２０は、本体１の上方から操作用開口１１を開閉できるように、操作用開口１１と螺合している。操作用キャップ２０は、周壁部２０ａ内周面に操作用開口１１と螺合するための雌ネジを備えた螺合部２０ｂを備えており、通常は、操作用開口１１を封止している。
【００４０】
栓体部２１は、排出口開閉シャフト２の下端部またはその近傍に設けられており、本体１の内部に収容され、本体１の内側から排出口１２の開閉をするためのものであり、外周面に排出口内周面の螺合部１２ｂと螺合するための雄ネジを備えた螺合部２１ａを備えている。操作用キャップ２０が操作用開口１１を封止しているときは、栓体部２１は排出口１２を封止するように構成されている。操作用キャップ２０の回転は、連結シャフト２２によって、栓体部２１に伝えられる。操作用キャップ２０が操作用開口１１を開ける方向に回転されると、栓体部２１は排出口１２を開ける方向に回転する一方、操作用キャップ２０が操作用開口１１を閉じる方向に回転されると、栓体部２１は排出口１２を閉じる方向に回転する。
【００４１】
図３に示すように、操作用キャップ２０と操作用開口１１の螺合のピッチＰ１は、栓体部２１と排出口１２の螺合のピッチＰ２と同一または略同一とされている。また、操作用キャップ２０の直径の寸法Ｄ１は、栓体部２１の直径の寸法Ｄ２よりも大きい構成とされている。
【００４２】
図２および図３に示すように、連結シャフト２２は、パッキン２３を止めるためのフランジ２２ａを備えており、パッキン２３は栓体部２１の上方に隣接して設けられている。パッキン２３の材質としては、弾性を有するゴムなどを使用することが好ましい。パッキン２３は、栓体部２１が排出口１２を閉じた状態で、本体１の内側から排出口１２の周囲をシールしている。
【００４３】
図１および図２に示すように、脚部３は、本体１の底部に本体１と一体的に形成されている。排出口１２は下方に突出した形状をしているため、脚部３は、排出口１２の突出量よりも、大きい高さ寸法を有している。これにより、下抜き型容器Ｘ１は安定して直立することができる。また、脚部３は、後述する排出口用キャップ４を側方から取り外すのに十分な高さを有していることが好ましい。
【００４４】
図４（Ａ）に示すように、脚部は取り換え可能に構成することもできる。脚部３Ａは、差し込み部３０を備えている。一方で、本体１は、底壁部１ｃの隅部分に差し込み凹部１ｄを具備するように構成されている。脚部３は、差し込み部３０を差し込み凹部１ｄに差し込むことによって、脱着可能に取り付けられている。よって、使用する状況に応じて、複数の脚部から適したものを選択できる構成となっている。たとえば、底辺部３１Ａの幅方向の長さが異なる複数種類の脚部を用意しておくことができる。
【００４５】
排出口用キャップ４は、本体１の底壁部１ｃの外側から、排出口１２を開閉するためのものである。図２および図３に示すように、排出口用キャップ４はその周壁部４０内周面に、排出口１２外周面と螺合するための雌ネジを備えた螺合部４１を有している。排出口用キャップ４は、栓体部２１とともに排出口１２を二重に閉じる構成とされている。
【００４６】
排出口１２が、本体の内部に突設されたものである場合には、栓体の上部にフランジを設けた鍔付き蓋（図示略）を使用することができる。
【００４７】
小便器取り付け口用キャップ５は、小便器取り付け口１３を開閉するためのものである。図２に示すように、小便器取り付け口用キャップ５は、周壁部５０内周面に小便器取り付け口１３と螺合するための雌ネジを備えた螺合部５１を備えている。この小便器取り付け口用キャップ５は、小便器Ｓを下抜き型容器Ｘ１に取り付ける際に、取り外される。
【００４８】
図１および図２に示すように、小便器Ｓは、尿受け部６と管部７を備えている。尿受け部６は、尿Ｕの飛び散りを防止しつつ、尿Ｕを受けるためのものである。尿受け部６は、プラスチックを材料として、ブロー成形により椀状に形成されている。下抜き型容器Ｘ１に取り付けられた時に、開口縁と最深部の間の最低若しくは略最低となる位置に、尿受け部６の内周面６１と外周面６２とを貫通する貫通口６０が形成されている。また、この尿受け部６は、貫通口６０の軸芯を鉛直若しくは略鉛直とした状態で下抜き型容器Ｘ１上方に接続される。
【００４９】
管部７は、尿受け部６の貫通口６０に固定されて形成されている。管部７は、小便器Ｓを下抜き型容器Ｘ１に接続するためのものであり、下抜き型容器Ｘ１の小便器取り付け口１３に挿入される。管部７は、中空状となっており、尿受け部６と下抜き型容器Ｘ１の本体１内部とを連通させる。尿受け部６に溜まった尿Ｕは、管部７を介して本体１内に流入する。
【００５０】
次に、本実施形態の下抜き型容器Ｘ１を利用した簡易トイレＸＳ１の使用方法の一例、ならびに下抜き型容器Ｘ１に貯留された尿Ｕの排出方法の一例について、図５および図６を参照しつつ説明する。
【００５１】
図５は、簡易トイレＸＳ１の使用方法の一例を示す説明図である。
【００５２】
図５（Ａ）は、簡易トイレＸＳ１の組み立て手順を示している。下抜き型容器Ｘ１の小便器取り付け口１３から、小便器取り付け口用キャップ５を取り外す。その後、小便器Ｓの管部７を小便器取り付け口１３に挿入することにより、簡易トイレＸＳ１の組み立ては、完了する。
【００５３】
図５（Ｂ）は、簡易トイレＸＳ１の使用中の状態を示している。尿受け部６に受けられた尿Ｕは、管部７を介して、本体１内に流入する。排出口１２は、栓体部２１と螺合することによって封止されている。これにより、排出口１２の封止の確実性が向上し、排出口１２からの尿Ｕの漏れが抑制される。また、排出口１２は、パッキン２３により本体１の内側から周囲をシールされている。栓体部２１およびパッキン２３により排出口１２を閉じることにより、封止の確実性はさらに向上する。さらに、排出口１２は、排出口用キャップ４によって、本体１の外側からも封止される。本体１内に貯留された尿Ｕの漏れ防止をより確実なものとするためである。これにより、簡易トイレＸＳ１は、下抜き型容器Ｘ１の底壁部１ｃに排出口１２が設けられていても、本体１内に貯留した尿Ｕが漏れることなく、衛生的に使用されることが可能である。
【００５４】
図５（Ｃ）は、下抜き型容器Ｘ１から小便器Ｓを取り外す手順を示している。先ず、小便器Ｓの管部７を小便器取り付け口１３から抜き去ることにより、下抜き型容器Ｘ１から小便器Ｓを取り外す。その後、小便器取り付け口用キャップ５を小便器取り付け口１３に螺合し、取り付けることにより作業は完了する。
【００５５】
図６は、下抜き型容器Ｘ１に貯留された尿Ｕの排出方法の一例を示す説明図である。下抜き型容器Ｘ１中の尿Ｕを、和式便器Ｔ１に排出する場合について説明する。
【００５６】
図６（Ａ）は、排出の準備手順を示している。排出口１２の直下に和式便器Ｔ１の水たまり（図示略）が来るように、下抜き型容器Ｘ１を和式便器Ｔ１上に設置する。この時、脚部３の底辺部３１を和式便器Ｔ１の両側の上端部に架け渡すように設置する。排出口１２に螺合している排出口用キャップ４を本体１の側方下部から取り外すことにより準備が完了する。
【００５７】
図６（Ｂ）に示すように、本体１内の尿Ｕは、排出口開閉シャフト２の操作によって排出される。操作用キャップ２０が矢印Ｎ１で示す操作用開口１１との螺合が外れる方向に回転されると、その回転が連結シャフト２２を介して伝わり、栓体部２１を同方向に回転する。排出口開閉シャフト２が上方向に移動する結果、栓体部２１の螺合部２１ａと排出口１２の螺合部１２ａとの螺合が外れ、排出口１２が開放される。その結果、本体１内の尿Ｕは、排出口１２から和式便器Ｔ１の水たまりに流出する。
【００５８】
排出口１２の開放作業は、操作用キャップ２０を用いて、本体１の上方から栓体部２１を操作することにより行われる。その結果、容器を持ち上げてキャップを外すなどの作業を行う必要がなくなるので、排出口１２が本体１の底壁部１ｃに設けられていても、尿Ｕの排出作業が容易となる。また、排出のための操作は、排出口１２の位置と離れた下抜き型容器Ｘ１の上方で行われるので、衛生上の問題の改善を図ることも可能となる。
【００５９】
本実施形態において、本体１の底壁部１ｃは、周縁寄り領域１ｃａから排出口１２に向かって下方に傾斜しているので、尿Ｕは本体１内に残らないように排出される。従って、作業者は、下抜き型容器Ｘ１を傾斜させて、残った尿Ｕを排出する作業をする必要がなくなる。また、前述した図３の説明で述べたように、操作用キャップ２０の直径の寸法Ｄ１は、栓体部２１の直径の寸法Ｄ２よりも大きい構成とされているので、作業者は、軽い力で栓体部２１と排出口１２との間の螺合を外すことができる。また、操作用キャップ２０と操作用開口１１との螺合のピッチＰ１は、栓体部２１と排出口１２の螺合のピッチＰ２と同一または略同一とされているので、操作用キャップ２０の回転に伴う上下動に合わせて、栓体部２１が円滑に回転し上下動する。
【００６０】
図６（Ｃ）は、排出作業を終了する手順を示している。操作用キャップ２０が矢印Ｎ２で示す方向に回転すると、操作用キャップ２０は操作用開口１１と螺合する。その回転が連結シャフト２２を介して栓体部２１に伝わり、栓体部２１が同方向に回転する。排出口開閉シャフト２が下方に移動する結果、栓体部２１は、排出口１２と螺合し、排出口１２を再度閉じる。栓体部２１と排出口１２とが螺合することにより、排出口１２はしっかりと閉じられる。また、このときパッキン２３は、排出口１２の周囲をシールする。次に、排出口１２に対して本体１の外側から排出口用キャップ４を螺合することにより閉じる。これにより、排出口１２は、再度確実に封止される。
【００６１】
本実施形態において、脚部を交換可能とする構成とした場合には、図４（Ｂ）に示すように、本実施形態の下抜き型容器Ｘ１は、脚部３Ａの底辺部３１Ａの幅寸法よりも広い幅寸法の底辺部３１Ｂを有する脚部３Ｂに交換することにより、和式便器Ｔ１よりも幅が広い洋式便器Ｔ２でも、排出作業を容易とすることが可能である。通常はコンパクトな和式便器Ｔ１での排出に適した脚部３Ａを使用して、必要に応じて洋式便器Ｔ２での排出に適した脚部３Ｂに付け替えるというような使い方が可能となる。
【００６２】
図７は、本発明に係る下抜き型容器およびこれを備えた簡易トイレの他の実施形態を示している。同図において、前記実施形態と同一または類似の要素には、前記実施形態と同一の符号を付している。
【００６３】
図７に示す簡易トイレＸＳ２においては、下抜き型容器Ｘ２を構成する排出口開閉シャフト２Ａは、要素として前記実施形態の操作用キャップ２０の代わりに、操作用ハンドル２０Ａを備えている。操作用ハンドル２０Ａは、本体１から、操作用開口１１Ａを介して、上方に露出している。また、本体１の底壁部１ｃに設けられている排出口１２Ａを開閉するための栓体部２１Ａは、外周に螺合部を有さず、平滑な表面を有するものとなっている。従って、排出口１２Ａは、外周面にのみ排出口用キャップ４と螺合するための雄ネジを有する螺合部１２Ａａを備えている一方、内周面には螺合部を有していない。栓体部２１Ａの材質としては、弾性を有するゴムが好適に用いられる。栓体部２１Ａは、排出口１２Ａの形状に合わせて形成されているので、排出口１２Ａを密栓可能となっている。
【００６４】
排出口開閉シャフト２Ａは、上端部またはその近傍に操作用ハンドル２０Ａを有するとともに、下端部またはその近傍に栓体部２１Ａを有するように、連結シャフト２２Ａによって連結され、一体化されたものである。前記実施形態と同様、本体１の上方に突出している操作用ハンドル２０Ａを操作して、本体１の底壁部１ｃに位置する排出口１２Ａの開閉操作をすることができる構成とされている。また、本実施形態では、排出口１２Ａの周囲を本体１の内側からシールするためのパッキン２３Ａが、栓体部２１Ａの上方に隣接した状態で一体の部品とされており、連結シャフト２２Ａ上に設けられたフランジ２２Ａａとフランジ２２Ａｂとの間に嵌め込まれている。もちろん、別部品のパッキン２３Ａと栓体部２１Ａとが、嵌め込まれていてもよい。
【００６５】
本体１上部の操作用開口１１Ａには、連結シャフト２２Ａを貫通させるための貫通口１４ａを有する栓体１４が嵌め込まれている。栓体１４の材質としては、たとえば弾性を有するゴムなどを使用することが好ましい。貫通口１４ａは、連結シャフト２２Ａが上下動可能で、かつ本体１内の尿Ｕが漏れにくい構成とされている。たとえば、連結シャフト２２Ａの横断面形状が円形である場合には、貫通口１４ａは、円形に形成され、直径は連結シャフト２２Ａの直径と同一または略同一の寸法とされる。もちろん、栓体１４の貫通口１４ａは、操作用ハンドルの一部を貫通させるような構成にしてもよい。
【００６６】
本実施形態の簡易トイレＸＳ２は、前記実施形態の簡易トイレＸＳ１と同様の使用をすることができる。下抜き型容器Ｘ２においても、排出口１２Ａは、栓体部２１Ａによって閉じられ、パッキン２３Ａにより本体１の内側からシールされる。さらに、排出口１２Ａは、排出口用キャップ４によって、本体１の外側から閉じられる。これにより、下抜き型容器Ｘ２の底壁部１ｃに排出口１２Ａが設けられていたとしても、本体１内に貯留した尿Ｕが漏れることなく、簡易トイレＸＳ２は、衛生的に使用されることが可能となる。
【００６７】
図８は、本実施形態による下抜き型容器Ｘ２に貯留された尿Ｕの排出方法の一例を示す説明図である。
【００６８】
図８（Ａ）は、排出の準備手順を示しており、前記の実施形態と同様の手順により完了する。
【００６９】
図８（Ｂ）に示す排出作業において、栓体部２１Ａは螺合部を備えていないので、操作用ハンドル２０Ａを回転することなく、排出口開閉シャフト２Ａを上方向に移動することができる。従って、本実施形態の下抜き型容器Ｘ２では、本体１の上方で、操作用ハンドル２０Ａを上方向に操作するだけで、栓体部２１Ａを上方向に移動することにより排出口１２Ａの開放作業を行えるので、尿Ｕの排出作業が容易となる。また、排出操作は、排出口１２Ａの位置と反対側の下抜き型容器Ｘ２上方に位置する操作用ハンドル２０Ａの操作により行われるので、衛生上の問題の改善を図ることもできる。
【００７０】
図８（Ｃ）に示す排出の終了作業においても、作業者は操作用ハンドル２０Ａを回転することなく、排出口１２Ａを栓体部２１Ａによって閉じることが可能である。排出口１２Ａを密栓できる栓体部２１Ａによって排出口１２Ａを開閉するので、封止の確実性が向上する。これにより、排出口１２Ａからの尿Ｕの漏れが抑制される。
【００７１】
本発明は、上述した実施形態に限定されない。
【００７２】
本発明に係る下抜き型容器に貯留されるものは、尿Ｕに限らず、その他の液体、紛体や粒体とすることができ、貯留物の具体的な種類は限定されない。本発明の下抜き型容器は、簡易トイレに適用されるだけではなく、下抜き型容器単体でも使用できるし、その他の用途にも適用することができる。
【符号の説明】
【００７３】
ＸＳ１，ＸＳ２  簡易トイレ
Ｘ１，Ｘ２  下抜き型容器
Ｓ  小便器
Ｕ  尿
１  本体
２  排出口開閉シャフト
１ａ  上壁部
１ｃ  底壁部
１ｃａ  周縁寄り領域
１ｃｂ  排出口周縁領域
１１，１１Ａ  操作用開口      
１２，１２Ａ  排出口
２０  操作用キャップ（操作部）
２０Ａ  操作用ハンドル（操作部）
２１，２１Ａ  栓体部
２３，２３Ａ  パッキン
３，３Ａ，３Ｂ  脚部
３１，３１Ａ，３１Ｂ  底辺部
４  排出口用キャップ（蓋体）
【図１】
0005620697.tif 000002
【図２】
0005620697.tif 000003
【図３】
0005620697.tif 000004
【図４】
0005620697.tif 000005
【図５】
0005620697.tif 000006
【図６】
0005620697.tif 000007
【図７】
0005620697.tif 000008
【図８】
0005620697.tif 000009